【誤訳訂正書】
【提出日】令和2年12月18日(2020.12.18)
【誤訳訂正１】
【訂正対象書類名】明細書
【訂正対象項目名】０１９９
【訂正方法】変更
【訂正の内容】
【０１９９】
一方、ＤＦＴ−Ｓ−ＯＦＤＭウェーブフォームはＤＭＲＳが含まれたＯＦＤＭシンボルにおいて、ＤＭＲＳに割り当てられたＲＥ以外のＲＥはＮｕｌｌ  ＲＥとみなして信号を送信しない。
【誤訳訂正２】
【訂正対象書類名】特許請求の範囲
【訂正対象項目名】全文
【訂正方法】変更
【訂正の内容】
【特許請求の範囲】
【請求項１】
ＢＳ（base station）を含む無線通信システムにおいてＵＥ（user equipment）が動作する方法であって、
前記ＵＥが前記ＢＳから、ＯＦＤＭ（orthogonal frequency division multiplexing）シンボルのＤＭＲＳ（demodulation reference signal）リソースに関連する情報を受信するステップであって、前記受信された情報は、前記ＤＭＲＳリソースに対して設定される第１リソース要素グループが前記ＢＳにデータを送信するために使用され得るか否かを前記ＵＥに通知する、ステップと、
前記ＵＥが前記ＢＳに、前記ＤＭＲＳリソースに対して設定される第２リソース要素グループによってＤＭＲＳを送信するステップと、を含み、
前記第１リソース要素グループは、前記第２リソース要素グループと異なり、
前記受信された情報に基づいて、前記ＤＭＲＳを送信する前記ステップは、前記第１リソース要素グループでデータを送信するステップ又は前記第１リソース要素グループでデータを送信しないステップを含み、
前記ＤＭＲＳは、ＤＭＲＳシーケンスの異なるタイプに基づいて生成されるＣＰ−ＯＦＤＭ（Cyclic Prefix-OFDM）方式及びＤＦＴ−ｓ−ＯＦＤＭ（Discrete Fourier Transform-spread-OFDM）方式の一つによって送信される、方法。
【請求項２】
前記受信された情報は、前記ＢＳに前記ＤＭＲＳを送信するために使用され得る前記ＤＭＲＳリソースの前記第２リソース要素グループを前記ＵＥにさらに通知する、請求項１に記載の方法。
【請求項３】
前記ＣＰ−ＯＦＤＭ方式のためのＤＭＲＳマッピングパターンと前記ＤＦＴ−ｓ−ＯＦＤＭ方式のためのＤＭＲＳマッピングパターンとは、同一である、請求項１に記載の方法。
【請求項４】
前記第２リソース要素グループのための送信電力は、前記第１リソース要素グループが前記ＤＭＲＳリソースに対して設定されることに基づいて割り当てられる、請求項１に記載の方法。
【請求項５】
ＢＳ（base station）を含む無線通信システムにおいて動作するＵＥ（user equipment）であって、
メモリと、
トランシーバと、
前記メモリ及びトランシーバと動作可能なように接続されているプロセッサと、を含み、
前記プロセッサは、
前記ＵＥが前記ＢＳから、ＯＦＤＭ（orthogonal frequency division multiplexing）シンボルのＤＭＲＳ（demodulation reference signal）リソースに関連する情報を受信し、前記受信された情報は、前記ＤＭＲＳリソースに対して設定される第１リソース要素グループが前記ＢＳにデータを送信するために使用され得るか否かを前記ＵＥに通知し、
前記ＵＥが前記ＢＳに、前記ＤＭＲＳリソースに対して設定される第２リソース要素グループによってＤＭＲＳを送信し、
前記第１リソース要素グループは、前記第２リソース要素グループと異なり、
前記受信された情報に基づいて、前記ＤＭＲＳを送信することは、前記第１リソース要素グループでデータを送信すること又は前記第１リソース要素グループでデータを送信しないことを含み、
前記ＤＭＲＳは、ＤＭＲＳシーケンスの異なるタイプに基づいて生成されるＣＰ−ＯＦＤＭ（Cyclic Prefix-OFDM）方式及びＤＦＴ−ｓ−ＯＦＤＭ（Discrete Fourier Transform-spread-OFDM）方式の一つによって送信される、ためのものである、ＵＥ。
【請求項６】
前記受信された情報は、前記ＢＳに前記ＤＭＲＳを送信するために使用され得る前記ＤＭＲＳリソースの前記第２リソース要素グループを前記ＵＥにさらに通知する、請求項５に記載のＵＥ。
【請求項７】
前記ＣＰ−ＯＦＤＭ方式のためのＤＭＲＳマッピングパターンと前記ＤＦＴ−ｓ−ＯＦＤＭ方式のためのＤＭＲＳマッピングパターンとは、同一である、請求項５に記載のＵＥ。
【請求項８】
前記第２リソース要素グループのための送信電力は、前記第１リソース要素グループが前記ＤＭＲＳリソースに対して設定されることに基づいて割り当てられる、請求項５に記載のＵＥ。
【請求項９】
ＵＥ（user equipment）を含む無線通信システムにおいてＢＳ（base station）が動作する方法であって、
前記ＢＳが前記ＵＥに、ＯＦＤＭ（orthogonal frequency division multiplexing）シンボルのＤＭＲＳ（demodulation reference signal）リソースに関連する情報を送信するステップであって、前記送信された情報は、前記ＤＭＲＳリソースに対して設定される第１リソース要素グループが前記ＢＳにデータを送信するために使用され得るか否かを前記ＵＥに通知する、ステップと、
前記ＢＳが前記ＵＥから、前記ＤＭＲＳリソースに対して設定される第２リソース要素グループによってＤＭＲＳを受信するステップと、を含み、
前記第１リソース要素グループは、前記第２リソース要素グループと異なり、
前記送信された情報に基づいて、前記ＤＭＲＳを受信する前記ステップは、前記第１リソース要素グループでデータを受信するステップ又は前記第１リソース要素グループでデータを受信しないステップを含み、
前記ＤＭＲＳは、ＤＭＲＳシーケンスの異なるタイプに基づいて生成されるＣＰ−ＯＦＤＭ（Cyclic Prefix-OFDM）方式及びＤＦＴ−ｓ−ＯＦＤＭ（Discrete Fourier Transform-spread-OFDM）方式の一つによって受信される、方法。
【請求項１０】
前記送信された情報は、前記ＢＳに前記ＤＭＲＳを送信するために使用され得る前記ＤＭＲＳリソースの前記第２リソース要素グループを前記ＵＥにさらに通知する、請求項９に記載の方法。
【請求項１１】
前記ＣＰ−ＯＦＤＭ方式のためのＤＭＲＳマッピングパターンと前記ＤＦＴ−ｓ−ＯＦＤＭ方式のためのＤＭＲＳマッピングパターンとは、同一である、請求項９に記載の方法。
【請求項１２】
前記第２リソース要素グループのための送信電力は、前記第１リソース要素グループが前記ＤＭＲＳリソースに対して設定されることに基づいて割り当てられる、請求項９に記載の方法。
【請求項１３】
ＵＥ（user equipment）を含む無線通信システムにおいて動作するＢＳ（base station）であって、
メモリと、
トランシーバと、
前記メモリ及びトランシーバと動作可能なように接続されているプロセッサと、を含み、
前記プロセッサは、
前記ＢＳが前記ＵＥに、ＯＦＤＭ（orthogonal frequency division multiplexing）シンボルのＤＭＲＳ（demodulation reference signal）リソースに関連する情報を送信し、前記送信された情報は、前記ＤＭＲＳリソースに対して設定される第１リソース要素グループが前記ＢＳにデータを送信するために使用され得るか否かを前記ＵＥに通知し、
前記ＢＳが前記ＵＥから、前記ＤＭＲＳリソースに対して設定される第２リソース要素グループによってＤＭＲＳを受信し、
前記第１リソース要素グループは、前記第２リソース要素グループと異なり、
前記送信された情報に基づいて、前記ＤＭＲＳを受信することは、前記第１リソース要素グループでデータを受信すること又は前記第１リソース要素グループでデータを受信しないことを含み、
ＤＭＲＳは、ＤＭＲＳシーケンスの異なるタイプに基づいて生成されるＣＰ−ＯＦＤＭ（Cyclic Prefix-OFDM）方式及びＤＦＴ−ｓ−ＯＦＤＭ（Discrete Fourier Transform-spread-OFDM）方式の一つによって受信される、ためのものである、ＢＳ。
【請求項１４】
前記送信された情報は、前記ＢＳに前記ＤＭＲＳを送信するために使用され得る前記ＤＭＲＳリソースの前記第２リソース要素グループを前記ＵＥにさらに通知する、請求項１３に記載のＢＳ。
【請求項１５】
前記ＣＰ−ＯＦＤＭ方式のためのＤＭＲＳマッピングパターンと前記ＤＦＴ−ｓ−ＯＦＤＭ方式のためのＤＭＲＳマッピングパターンとは、同一である、請求項１３に記載のＢＳ。
【請求項１６】
前記第２リソース要素グループのための送信電力は、前記第１リソース要素グループが前記ＤＭＲＳリソースに対して設定されることに基づいて割り当てられる、請求項１３に記載のＢＳ。